(57)【要約】      （修正有）【課題】ユーザの発言やアクションがコンテンツのどのような内容と関連付けて為されたものであるかを分かり易くする。【解決手段】コンテンツ再生装置において、受付手段は、ユーザから再生されているコンテンツに関する入力を受付ける。送信手段は、ネットワークを介して接続されたサーバに、受付手段が受付けた入力に基づく入力情報と、再生中のコンテンツを識別するためのコンテンツ識別情報と、入力を受付けた時点のコンテンツの再生位置を示す再生位置情報とを対応付けて送信する。受信手段は、サーバから、自装置または他装置が送信した入力情報と、当該入力情報に対応するコンテンツを示す情報と、再生位置情報で示される再生位置におけるコンテンツの内容に関する再生位置関連情報とを受信する。第２出力手段は、受信手段により受信された入力情報と、コンテンツを示す情報と、再生位置関連情報とを対応付けて表示するための映像信号を出力する。【選択図】図１０
2013085146.tif 000002
【特許請求の範囲】
【請求項１】
コンテンツを再生するための映像信号を出力する第１出力手段と、
ユーザから、再生されているコンテンツに関する入力を受付ける受付手段と、
ネットワークを介して接続されたサーバに、前記受付手段が受付けた入力に基づく入力情報と、前記再生されているコンテンツを識別するためのコンテンツ識別情報と、前記入力を受付けた時点における前記コンテンツの再生位置を示す再生位置情報と、を対応付けて送信する送信手段と、
前記サーバから、自装置または他装置の前記送信手段が送信した前記入力情報と、当該入力情報と対応付けられた前記コンテンツ識別情報のコンテンツを示す情報と、前記入力情報と対応付けられた前記再生位置情報で示される再生位置における前記コンテンツの内容に関する再生位置関連情報とを受信する受信手段と、
前記受信手段により受信された前記入力情報と、前記コンテンツを示す情報と、前記再生位置関連情報とを対応付けて表示するための映像信号を出力する第２出力手段と、
を備えるコンテンツ再生装置。
【請求項２】
前記送信手段はさらに、前記入力を行った前記ユーザを識別するためのユーザ識別情報を前記サーバに送信し、
前記受信手段はさらに、前記ユーザ識別情報に関する関連情報を前記サーバから受信し、
前記第２出力手段は、前記ユーザ識別情報に関する関連情報と、前記入力情報と、前記コンテンツを示す情報と、前記再生位置関連情報とを対応付けて表示するための映像信号を出力する、請求項１に記載のコンテンツ再生装置。
【請求項３】
前記受付手段は、前記ユーザから前記コンテンツに関するコメントの入力を受付けて、
前記送信手段は、前記受付手段が受付けた前記コメントと、前記コンテンツの前記コンテンツ識別情報と、前記コメントの入力を受付けた時点の前記再生位置情報と、前記コメントを入力したユーザの前記ユーザ識別情報と、を前記サーバに送信し、
前記受信手段は、前記サーバから、自装置または他装置から前記サーバに送信された前記コメントと、当該コメントと対応付けられた前記コンテンツ識別情報のコンテンツを示す情報と、前記コメントと対応付けられた前記ユーザ識別情報の関連情報と、前記コメントと対応付けられた前記再生位置情報で示される再生位置における前記再生位置関連情報とを受信し、
前記第２出力手段は、前記コメントと、前記コンテンツを示す情報と、前記ユーザ識別情報の関連情報と、前記再生位置関連情報とを対応付けて表示するための映像信号を出力する、請求項２に記載のコンテンツ再生装置。
【請求項４】
前記受付手段は、前記ユーザから前記コンテンツに関する評価の入力を受付けて、
前記送信手段は、前記受付手段が受付けた前記評価に関する情報と、前記コンテンツの前記コンテンツ識別情報と、前記評価の入力を受付けた時点の前記再生位置情報とを前記サーバに送信し、
前記受信手段は、前記サーバから、自装置または他装置から前記サーバに送信された前記評価に関する情報と、当該評価に関する情報と対応付けられた前記コンテンツ識別情報のコンテンツを示す情報と、前記評価に関する情報と対応付けられた前記再生位置情報で示される再生位置における再生位置関連情報とを受信し、
前記第２出力手段は、前記評価に関する情報と、前記コンテンツを示す情報と、前記再生位置関連情報とを対応付けて表示するための映像信号を出力する、請求項１ないし３のいずれか１つに記載のコンテンツ再生装置。
【請求項５】
前記送信手段は、前記ユーザが前記コンテンツを視聴開始した場合、または視聴終了した場合に、そのコンテンツの前記コンテンツ識別情報と、前記ユーザの前記ユーザ識別情報とを前記サーバに送信し、
前記受信手段は、前記サーバから、前記コンテンツ識別情報のコンテンツの視聴者数を、前記再生位置情報または前記再生位置関連情報に対応付けて受信し、
前記第２出力手段は、前記コンテンツの視聴者数と、そのコンテンツの前記再生位置情報または前記再生位置関連情報とを対応付けて表示するための映像信号を出力する、請求項１ないし４のいずれか１つに記載のコンテンツ再生装置。
【請求項６】
前記第１出力手段および前記第２出力手段が出力した前記映像信号により映像表示を行う表示手段をさらに備える、請求項１ないし５のいずれか１つに記載のコンテンツ再生装置。
【請求項７】
コンテンツ再生装置において実行される情報送信方法であって、
コンテンツを再生するための映像信号を出力する第１出力工程と、
ユーザから、再生されているコンテンツに関する入力を受付ける受付工程と、
ネットワークを介して接続されたサーバに、前記受付工程において受付けられた入力に基づく入力情報と、前記再生されているコンテンツを識別するためのコンテンツ識別情報と、前記入力を受付けた時点における前記コンテンツの再生位置を示す再生位置情報と、を対応付けて、送信する送信工程と、
前記サーバから、自装置または他装置が送信した前記入力情報と、当該入力情報と対応付けられた前記コンテンツ識別情報のコンテンツを示す情報と、前記入力情報と対応付けられた前記再生位置情報で示される再生位置における前記コンテンツの内容に関する再生位置関連情報とを受信する受信工程と、
前記受信工程において受信された前記入力情報と、前記コンテンツを示す情報と、前記再生位置関連情報とを対応付けて表示するための映像信号を出力する第２出力工程と、
を含む情報送信方法。
【請求項８】
コンテンツを再生するコンテンツ再生装置とネットワークで接続されたサーバであり、
前記コンテンツ再生装置から、前記コンテンツに関して入力された入力情報と、前記コンテンツを識別するためのコンテンツ識別情報と、前記入力情報が入力された時点における前記コンテンツの再生位置を示す再生位置情報とを対応付けて受信する受信手段と、
前記コンテンツ識別情報と、当該コンテンツ識別情報のコンテンツを示す情報とを対応付けて記憶する第１記憶手段から、前記受信手段が受信した前記コンテンツ識別情報に対応する前記コンテンツを示す情報を読み込む第１読込手段と、
前記コンテンツ識別情報で識別されるコンテンツの再生位置を示す再生位置情報と、当該再生位置情報で示される再生位置におけるコンテンツの内容に関する再生位置関連情報とを対応付けて記憶する第２記憶手段から、前記受信手段が受信した前記再生位置情報に対応する前記再生位置関連情報を読み込む第２読込手段と、
前記受信手段が受信した入力情報と、前記第１読込手段が読み込んだ前記コンテンツを示す情報と、前記第２読込手段が読み込んだ前記再生位置関連情報と、を対応付けて前記コンテンツ再生装置または他のコンテンツ再生装置に送信する送信手段と、
を備えるサーバ。
【発明の詳細な説明】
【技術分野】
【０００１】
本発明の実施形態は、コンテンツ再生装置、情報送信方法およびサーバに関する。
【背景技術】
【０００２】
近年、デジタルテレビジョン装置等のコンテンツ再生装置においては、放送信号に基づくコンテンツ（放送コンテンツ）と、インターネット等の通信回線を介してサーバから取得したコンテンツ（通信コンテンツ）とを合成して表示するハイブリットキャスト（Hybridcast：登録商標）方式が知られている。
【０００３】
また、テレビ画面の一部において、Twitter（登録商標）、YouTube（登録商標）等の動画配信サービス、Facebook（登録商標）等のＳＮＳ（Social  Networking  Service）等のコミュニケーションサービスの利用画面を表示させる技術も知られており、デジタルテレビジョンを用いて種々のコミュニケーションサービスを利用することが可能となっている。このようなコミュニケーションサービスに関する従来技術としては、動画コンテンツに対するユーザコメントを、コンテンツ内の時間を基軸として一覧表示する技術が開示されている。
【先行技術文献】
【特許文献】
【０００４】
【特許文献１】特開２００８−２７８０８８号公報
【発明の概要】
【発明が解決しようとする課題】
【０００５】
しかしながら、従来技術においては、ユーザの発言やアクションがコンテンツのどのような内容と関連付けて為されたものであるかが分かりにくいという課題があった。
【０００６】
本発明は、上記に鑑みてなされたものであって、ユーザの発言やアクションがコンテンツのどのような内容と関連付けて為されたものであるかを分かり易くすることができるコンテンツ再生装置、情報送信方法およびサーバを提供することを目的とする。
【課題を解決するための手段】
【０００７】
実施形態のコンテンツ再生装置は、第１出力手段と、受付手段と、送信手段と、受信手段と、第２出力手段とを備える。第１出力手段は、コンテンツを再生するための映像信号を出力する。受付手段は、ユーザから、再生されているコンテンツに関する入力を受付ける。送信手段は、ネットワークを介して接続されたサーバに、前記受付手段が受付けた入力に基づく入力情報と、前記再生されているコンテンツを識別するためのコンテンツ識別情報と、前記入力を受付けた時点における前記コンテンツの再生位置を示す再生位置情報と、を対応付けて送信する。受信手段は、前記サーバから、自装置または他装置の前記送信手段が送信した前記入力情報と、当該入力情報と対応付けられた前記コンテンツ識別情報のコンテンツを示す情報と、前記入力情報と対応付けられた前記再生位置情報で示される再生位置における前記コンテンツの内容に関する再生位置関連情報とを受信する。第２出力手段は、前記受信手段により受信された前記入力情報と、前記コンテンツを示す情報と、前記再生位置関連情報とを対応付けて表示するための映像信号を出力する。
【図面の簡単な説明】
【０００８】
【図１】図１は、第１の実施形態に係るコンテンツ送信装置及びコンテンツ再生装置を含むコンテンツ再生システムを示すブロック図である。
【図２】図２は、サーバの構成例を示すブロック図である。
【図３】図３は、公開範囲設定テーブルのデータ構成例を示す図である。
【図４】図４は、ユーザ情報設定テーブルのデータ構成例を示す図である。
【図５】図５は、コンテンツ情報設定テーブルのデータ構成例を示す図である。
【図６】図６は、再生位置関連情報テーブルのデータ構成例を示す図である。
【図７】図７は、チェックイン管理テーブルのデータ構成例を示す図である。
【図８】図８は、コンテンツ再生システムで行われる情報通信処理および表示処理の手順を示すシーケンス図である。
【図９】図９は、ユーザのチェックイン状況が表示された表示画面の一例を示す図である。
【図１０】図１０は、ユーザのコメントと再生位置関連情報とが対応付けられて表示された表示画面の一例を示す図である。
【図１１】図１１は、第２の実施形態に係るコンテンツ再生システムを示すブロック図である。
【図１２】図１２は、第３の実施形態に係るコンテンツ再生システムを示すブロック図である。
【図１３】図１３は、第４の実施形態に係るコンテンツ再生システムを示すブロック図である。
【発明を実施するための形態】
【０００９】
（第１の実施形態）
図１は、第１の実施形態に係るコンテンツ送信装置及びコンテンツ再生装置を含むコンテンツ再生システム１０１を示すブロック図である。
【００１０】
図１において、コンテンツ送信装置である放送局のサーバ１１からの放送信号は、コンテンツ再生装置である複数の再生装置１３ａ、１３ｂにおいて受信される。各再生装置１３ａ、１３ｂは相互に同一構成であり、以下、各再生装置１３ａ、１３ｂを相互に区別する必要がない場合には、単に再生装置１３という。なお、図１では２台の再生装置１３ａ、１３ｂを示したが、２台以上の複数の再生装置１３が用いられるとしてもよい。再生装置１３の具体例としては、異なる家庭に設置された相互に別グループに属するデジタルテレビジョン装置等が適用できる。
【００１１】
各再生装置１３が放送局のサーバ１１から受信する放送信号には、映像や音声情報によって構成された番組のコンテンツ（以下、放送コンテンツという）が含まれる。更に、本実施形態の放送信号には、通信回線を介して取得するコンテンツ（以下、通信コンテンツという）の取得のためのコンテンツ取得用コンテンツが含まれる。例えば、コンテンツ取得用コンテンツは、放送信号に多重されるデータ放送の一部として伝送することができる。
【００１２】
なお、コンテンツ取得用コンテンツには、放送コンテンツとは別に各種マルチメディア情報、例えば映像、音声、画像、テキスト等によってニュースや天気予報、番組詳細情報等の種々の情報を提供するコンテンツが含まれていてもよい。例えば、コンテンツ取得用コンテンツは、ＪａｖａＳｃｒｉｐｔやＨＴＭＬ等の制御を規定するコンテンツと、映像や音声、画像等の出力対象となるコンテンツとからなる。
【００１３】
図１に示すように、再生装置１３ａ、１３ｂはインターネット１２等のネットワークを介してＷｅｂサーバ（サーバ）３０と接続可能に構成されている。サーバ３０は、上記通信コンテンツを提供するサーバである。尚、サーバ３０は放送局に設置されて放送局が管理するとしてもよいが、サーバ３０の設置態様は特に限定されるものではない。
【００１４】
次に、図２を参照してサーバ３０の機能構成について説明する。図２は、サーバ３０の構成例を示すブロック図である。図２に示すように、サーバ３０は、ＣＰＵ３１、ＲＯＭ３２、ＲＡＭ３３、通信Ｉ／Ｆ３４、キーボードやタッチパッド、マウス等の入力装置３５、ディスプレイ３６、ＨＤＤ７０等を備えた通常のＰＣと同様の構成を有している。ＲＯＭ３２はサーバ３０を制御するための各種プログラムを記憶している。ＣＰＵ３１は、ＲＯＭ３２が記憶するプログラムをＲＡＭ３３に展開して実行することによりサーバ３０を制御するための制御部として機能する。制御部は、受信部３０１、第１読込部３０２、第２読込部３０３、送信部３０４等として機能する。各部の機能については図８で後述する。
【００１５】
ＨＤＤ７０は、公開範囲設定テーブル７１（図３参照）、ユーザ情報設定テーブル７２（図４参照）、コンテンツ情報設定テーブル７３（図５参照）、再生位置関連情報テーブル７４（図６参照）、チェックイン管理テーブル７５（図７参照）を有している。
【００１６】
図３は、公開範囲設定テーブル７１のデータ構成例を示す図である。図３に示すように、公開範囲設定テーブル７１は、ユーザ（発信元ユーザ）と、当該発信元ユーザが入力部２４から入力したコメントや評価等の入力情報を公開する他のユーザ（送信先ユーザ）とを対応付けて記憶している。ユーザは、再生装置１３からサーバ３０にアクセスして公開範囲情報を登録することができる。図３に示す例では、ユーザＩＤ“０００００００１”で識別されるユーザの入力情報は、ユーザＩＤ“０００００００２”で識別されるユーザに対して公開され、ユーザＩＤ“０００００００２”で識別されるユーザの入力情報は、ユーザＩＤ“０００００００１”、“０００００００３”、“０００００００４”、“０００００００５”で識別される各ユーザに対して公開される。
【００１７】
図４は、ユーザ情報設定テーブル７２のデータ構成例を示す図である。図４に示すように、ユーザ情報設定テーブル７２は、ユーザの識別情報（ユーザＩＤ）と、ユーザ名とを対応付けて記憶している。尚、図示しないが、各ユーザＩＤにはさらにそのユーザの個別情報が対応付けられており、サーバ３０は、各ユーザＩＤとの間の相互通信を個別情報に基づいて行う。なお、個別情報については後述する。
【００１８】
図５は、コンテンツ情報設定テーブル７３のデータ構成例を示す図である。図５に示すように、コンテンツ情報設定テーブル７３（第１記憶手段）は、各放送コンテンツのコンテンツＩＤ（コンテンツ識別情報）と、その放送コンテンツを提供する放送局の識別情報（チャンネル番号や放送局名等）と、その放送コンテンツのタイトルであるコンテンツ名等を対応付けて記憶している。尚、図５では、コンテンツＩＤで識別されるコンテンツを示す情報として、放送局名やコンテンツ名を示したが、コンテンツを示す情報はこれに限定されるものではなく、その他の情報が用いられるとしてもよい。
【００１９】
図６は、再生位置関連情報テーブル７４のデータ構成例を示す図である。図６に示すように、再生位置関連情報テーブル７４（第２記憶手段）には、放送コンテンツごとに、放送コンテンツの再生位置情報と、再生位置関連情報とが対応付けられて記憶される。再生位置関連情報とは、各再生位置における放送コンテンツの内容に関する関連情報とする。
【００２０】
即ち、スポーツ番組等の例を挙げれば、再生位置情報としては放送時間に対応し、その放送時間における試合進行状況を再生位置関連情報として格納することができる。再生位置関連情報は、サーバ３０の管理担当者が随時入力してもよいし、他のデータ放送で用いられるデータやインターネット上の情報等から自動的に抽出されてもよい。
【００２１】
他の例としては、放送コンテンツが旅行番組であれば、再生位置関連情報が、旅行場所であり、放送コンテンツがクイズ番組であれば、再生位置関連情報が、質問であることが考えられる。つまり、ユーザは、放送コンテンツを視聴していなくとも、再生位置関連情報を参照することで、再生位置における放送コンテンツの状況を認識できる。
【００２２】
図７は、チェックイン管理テーブル７５のデータ構成例を示す図である。図７に示すように、チェックイン管理テーブル７５は、各ユーザのユーザＩＤに対応付けて、そのユーザが視聴した或いは視聴している放送コンテンツのコンテンツＩＤと、その放送コンテンツの視聴を開始したチェックイン時刻（視聴開始時刻）と、その放送コンテンツの視聴を終了したチェックアウト時刻（視聴終了時刻）と、その放送コンテンツを視聴した視聴時間、そのユーザが視聴中に行ったアクションとその時刻を示したアクションログなどが格納される。尚、アクションとは、その放送コンテンツに対するコメントや評価等を入力する動作のことである。
【００２３】
本実施形態では、チェックイン管理テーブル７５を用いてユーザがコンテンツを視聴していた時間を管理することで、ユーザに対して様々なサービスを与えることができる。例えば、放送局側（或いはサーバ３０の管理者側）は、放送コンテンツ内に予めタイムゾーンを設けておく。そして、サーバ３０の制御部は、チェックイン管理テーブル７５を用いて、各ユーザが、当該タイムゾーン内に所定の放送コンテンツにチェックインしたか否かを判定する。そして、サーバ３０の制御部は、このタイムゾーン内にその放送コンテンツにチェックインしたユーザに対して、ポイントを付与したり、クーポンや景品の抽選権を付与したりする等の特典を付与するサービスを行うとしてもよい。これにより放送局は、その放送コンテンツの視聴率の向上を狙うことができる。
【００２４】
尚、好適な実施形態としては、上述のタイムゾーンをユーザに伏せておくことが好ましい。また、その他の好適な実施形態としては、予め設けられたタイムゾーンとして放送コンテンツの放送時間全体を設定しておき、サーバ３０の制御部は、放送コンテンツの全体を視聴したユーザに対して、上述したような特典を付与するとしてもよい。これにより、放送コンテンツの全体を視聴してもらいやすくできる。
【００２５】
尚、チェックイン管理テーブル７５において管理する情報は、上述したチェックイン時刻、チェックアウト時刻、視聴時間、及びアクションログに限定されるものではなく、これら以外の情報をチェックイン管理テーブル７５において管理するとしてもよい。
【００２６】
また、サーバ３０の制御部は、チェックイン管理テーブル７５を用いて、その放送コンテンツ内において盛況だったシーンを判定してもよい。即ち、サーバ３０の制御部はチェックイン管理テーブル７５を用いて、放送コンテンツにチェックインした人数を放送コンテンツの再生位置に対応付けて管理し、チェックインしている人数が多いほど盛況であると判定する。或いは、サーバ３０の制御部はチェックイン管理テーブル７５を用いて、放送コンテンツに対して送信されたコメント数や評価動作が行われた回数、即ちアクション回数が多いほど盛況であると判定する。
【００２７】
そして、サーバ３０の制御部は例えば、最も盛況であったシーン（時間帯）でチェックインしたユーザに対して上述したような特典を付与してもよい。また、この場合に放送局のサーバ３０の制御部は、最も盛況であったシーンでチェックインしたユーザ数に応じて特典を付与するユーザ数を決定してもよい。
【００２８】
また、サーバ３０の制御部は、上述のように最も盛況であったシーンを示した再生位置と対応付けたタグを管理しても良い。そして、サーバ３０の制御部は、各再生装置に対して、当該タグを示す再生位置情報あるいは当該タグが付与された放送コンテンツを配信してもよい。また、さらに、このようにしてタグ付けされた録画コンテンツに対して、最も盛況であったシーンを視聴したユーザに対して上述したような特典を付与してもよい。
【００２９】
また、サーバ３０の制御部は、ユーザのチェックイン数（即ち、その放送コンテンツの視聴者数）やアクション回数、或いは、それらの数に基づく放送コンテンツの盛況具合を示す情報を、放送コンテンツの再生位置と対応付けて生成してもよい。そして、生成した情報を放送コンテンツとともに再生装置１３に送信し、再生装置１３の表示部２３に放送コンテンツの各再生位置に対する盛況具合を表示させてもよい。これにより、ユーザは、その放送コンテンツで盛り上がったシーンを容易に識別でき、盛況であった場面を視聴者自らがシーンサーチしなくとも簡単に視聴できる。
【００３０】
さらに、サーバ３０の制御部は、放送コンテンツの再生位置と、再生位置関連情報と、上記盛況具合を示す情報とを対応付けて再生装置１３に送信してもよい。
【００３１】
次に、図１を参照して再生装置１３（１３ａ、１３ｂ）について説明する。
【００３２】
受信部１５は、図示しないチューナ、復調部等によって構成されており、放送信号を受信し、ユーザの選局操作によって指定されたチャンネルの信号を選局する。受信部１５は、選局した放送信号に対して放送方式に対応した復調処理を行う。例えば、受信部１５は、デジタル放送の放送信号についてはＰＳＫ（Phase  Shift  Keying）復調又はＯＦＤＭ（Orthogonal  Frequency  Division  Multiplexing）復調処理等のデジタル復調処理を行う。こうして、受信部１５は、放送信号から所望のコンテンツを含むストリームを得る。更に、受信部１５は、ストリームを復号処理した後、分離部１６に出力する。
【００３３】
分離部１６は、復号結果から、所望の番組の放送コンテンツとコンテンツ取得用コンテンツとを分離する。分離部１６は、放送コンテンツを放送コンテンツ処理部１７に与え、コンテンツ取得用コンテンツをＷｅｂブラウザ等のブラウザ１９のコンテンツ及び通信処理部２０に与える。放送コンテンツ処理部１７は、入力された放送コンテンツに対して適宜の信号処理を施して、番組の映像信号及び音声信号を得て、合成部１８に出力する。
【００３４】
コンテンツ及び通信処理部２０は、入力されたコンテンツ取得用コンテンツに含まれた記述内容を解釈して処理する。コンテンツ及び通信処理部２０は、コンテンツ取得用コンテンツに映像や、音声、テキスト等のコンテンツが含まれる場合には、これらのコンテンツの映像信号及び音声信号を生成して合成部１８に出力する。また、コンテンツ取得用コンテンツに、放送局のサーバ１１又はサーバ３０との双方向通信を行うための情報が記述されていることもある。この場合には、コンテンツ及び通信処理部２０は、これらの情報に対応した表示を行うための画像を生成して合成部１８に出力する。
【００３５】
本実施形態においては、各再生装置１３は、個別情報記憶部２２を有している。個別情報記憶部２２は、各再生装置１３の個別情報を保持する。個別情報としては、装置のデバイスＩＤ、装置内のいずれかのＬＳＩのチップＩＤ、装置内のいずれかのＮＩＣ（ネットワークインターフェースカード）のＭＡＣアドレス、装置に接続されたいずれかのＢ−ＣＡＳカードのＩＤ、Ｗｅｂコンテンツ配信サービス事業者、放送局或いはユーザが指定したＩＤ、又は、装置起動時やコンテンツの視聴開始時やＷｅｂコンテンツのダウンロード開始時やストリーミング開始時に生成された乱数、のいずれか、または組み合わせによって得られるものが考えられる。なお、放送局からの放送信号の受信エリア内の再生装置台数が極めて多い場合には、複数台毎に１つの個別情報が割り当てられるようにしてもよく、例えば、地区毎に１つの個別情報を割り当てるようにしてもよい。
【００３６】
コンテンツ及び通信処理部２０は、コンテンツ取得用コンテンツに含まれるアクセス制御情報を抽出し、抽出したアクセス制御情報と、個別情報記憶部２２から読み出した個別情報とを用いて、アクセス時間及びアクセス先の少なくとも一方を決定する。コンテンツ及び通信処理部２０は、決定したアクセス時間及びアクセス先に従って、通信回線を介して通信を行い、アクセス先のサーバに対して通信コンテンツの送信要求を行う。
【００３７】
なお、コンテンツ及び通信処理部２０は、アクセス制御情報によってアクセス時間が規定されていない場合には、任意の時間、例えばコンテンツ取得用コンテンツの取得後に通信コンテンツの送信要求を行う。また、コンテンツ及び通信処理部２０は、アクセス制御情報によってアクセス先が規定されていない場合には、任意のアクセス先、例えば規定のサーバに対して通信コンテンツの送信要求を行う。
【００３８】
図１の例では、アクセス先としてサーバ３０が決定された例を示している。コンテンツ及び通信処理部２０は、インターネット１２を介してサーバ３０との間で通信を行って、コンテンツ取得用コンテンツに記述された通信コンテンツの送信要求を行う。
【００３９】
尚、図１の例では、アクセス先としてサーバ３０が選択されたが、アクセス先のサーバは複数に分散されるとしてもよい。このように、コンテンツ及び通信処理部２０は、コンテンツ取得用コンテンツに含まれるアクセス制御情報と、各再生装置１３が有する個別情報とに基づいて、各再生装置１３がアクセスするアクセス先のサーバ及びアクセス時間を決定するので、サーバや通信回線にかかる通信負荷を分散して負荷軽減を図りやすくすることができる。
【００４０】
通信コンテンツ処理部２１は、サーバ３０から送信された通信コンテンツを受信する。通信コンテンツは、例えば、ＪａｖａＳｃｒｉｐｔやＨＴＭＬ等の制御を規定するコンテンツと、映像や音声、画像等の出力対象となるコンテンツとによって構成される。通信コンテンツ処理部２１は、入力された通信コンテンツに含まれた記述内容を解釈して処理する。即ち、通信コンテンツ処理部２１は、通信コンテンツに映像や、音声、テキスト等のコンテンツが含まれる場合には、これらのコンテンツの映像信号または音声信号を生成して合成部１８に出力する。
【００４１】
また、通信コンテンツ処理部２１（送信手段）は、Twitter（登録商標）、Facebook（登録商標）等のＳＮＳ（Social  Networking  Service）等のコミュニケーションサービスに関する通信コンテンツの通信処理を行う。即ち、通信コンテンツ処理部２１は、リモートコントロールやキーボード等の入力部２４から入力されたユーザのコメントや評価等の入力情報を受付けて、インターネット１２を介してサーバ３０に送信する。また、通信コンテンツ処理部２１は、入力情報を送信する際に、入力情報と、再生されている放送コンテンツのコンテンツ識別情報と、入力を受付けた時点における放送コンテンツの再生位置を示す再生位置情報とを対応付けてサーバ３０に送信する。
【００４２】
さらに、通信コンテンツ処理部２１（受信手段）は、サーバ３０から、自装置または他装置の通信コンテンツ処理部２１が送信した入力情報と、当該入力情報と対応付けられたコンテンツ識別情報のコンテンツを示す情報と、当該入力情報と対応付けられた再生位置情報で示される再生位置における再生位置関連情報とを受信する。そして、上述の通信コンテンツに対する処理と同様の処理を行って処理後の映像信号または音声信号を合成部１８に出力し、表示部２３は上述の各情報を対応付けて表示する。
【００４３】
また、通信コンテンツ処理部２１は、上述のようにサーバ３０が再生位置関連情報と、盛況具合を示す情報（視聴者数、アクション数等）とを対応付けて送信した場合に、これらを受信し、合成部１８に出力するとしてもよい。再生装置１３の表示部２３は、コンテンツを示す情報と、放送コンテンツの各再生位置に対する盛況具合と、再生位置と、再生位置関連情報とを対応付けて表示する。これにより、ユーザはその放送コンテンツで盛り上がったシーンがどのような内容であるのかを知ることができる。
【００４４】
合成部１８は、放送コンテンツ処理部１７の出力とブラウザ１９の出力とを合成して、合成画像を再生または表示させるための映像信号を表示部２３（表示手段）に出力する。表示部２３は例えば液晶ディスプレイやプラズマディスプレイ等によって構成される。表示部２３は、合成部１８から入力された映像信号に基づいて、上記合成画像の映像表示を行う。これにより表示部２３には、放送コンテンツの画像と、通信コンテンツに関する画像とが合成されて表示される。
【００４５】
上述のように、ブラウザ１９、放送コンテンツ処理部１７、合成部１８等の構成は、放送コンテンツを再生するための映像信号を出力する第１出力手段、または、通信コンテンツを表示するための映像信号を出力する第２出力手段として機能する。尚、第１出力手段、第２出力手段の構成は、放送コンテンツを再生するための映像信号、通信コンテンツを表示するための映像信号をそれぞれ出力可能な構成であればよく、特に限定されるものではない。
【００４６】
次に、本実施形態のコンテンツ再生システム１０１で行われる情報通信処理および表示処理の手順について説明する。図８は、コンテンツ再生システム１０１で行われる情報通信処理および表示処理の手順を示すシーケンス図である。尚、以下では再生装置１３ａ、１３ｂでの動作を並列して説明するが、再生装置１３ａ、１３ｂでそれぞれ行われる動作のタイミングは特に限定されるものではない。また、再生装置１３が２つの場合について説明するが、再生装置１３の数はこれに限定されるものではない。
【００４７】
通信コンテンツ処理部２１は、再生装置１３ａ、１３ｂのユーザが放送コンテンツの視聴を開始し、その放送コンテンツにチェックインしたか否かを判定する（ステップＳ１、Ｓ２１）。各再生装置１３ａ、１３ｂにおいてチェックインが為されない間（ステップＳ１：Ｎｏ、Ｓ２１：Ｎｏ）は、ステップＳ１、Ｓ２１に戻ってチェックイン待ちを行う。チェックインが為された場合（ステップＳ１：Ｙｅｓ、Ｓ２１：Ｙｅｓ）には、通信コンテンツ処理部２１は、チェックインをしたユーザのユーザ識別情報と、そのユーザがチェックインをした放送コンテンツのコンテンツ識別情報とをサーバ３０に送信する（ステップＳ２、Ｓ２２）。
【００４８】
サーバ３０の制御部は、再生装置１３（１３ａ、１３ｂ）がチェックインした場合に、受信したユーザ識別情報とコンテンツ識別情報とを用いて、チェックイン管理テーブル７５にチェックインしたユーザのユーザ識別情報と、チェックインした放送コンテンツのコンテンツ識別情報と、チェックイン時刻とを格納する（ステップＳ３）。
【００４９】
そして、サーバ３０の制御部は、公開範囲設定テーブル７１を参照して、チェックインしたユーザに関する公開範囲を検索する（ステップＳ４）。サーバ３０の送信部３０４は、公開範囲内のユーザ及びチェックインしたユーザに対して、チェックインしたユーザのユーザ識別情報の関連情報、コンテンツ識別情報の関連情報を送信し、チェックインしたことを同一の公開範囲に属するユーザに通知する（ステップＳ５、Ｓ２５）。尚、サーバ３０の送信部３０４は、チェックインしたユーザ自身にはチェックイン通知を行わないとしてもよい。
【００５０】
ここで、ユーザ識別情報の関連情報とは、ユーザ識別情報によって識別されるユーザに関する情報であり、例えば、ユーザ名、ユーザのニックネーム等がある。また、コンテンツ識別情報の関連情報とは、コンテンツ識別情報によって識別される放送コンテンツに関する情報であり、例えば、放送コンテンツのタイトル、放送コンテンツの内容に関する情報等がある。
【００５１】
再生装置１３の通信コンテンツ処理部２１は、チェックイン通知を受信した場合に、受信データに含まれるユーザ識別情報の関連情報、コンテンツ識別情報の関連情報に基づいて、ユーザのチェックインを通知するメッセージを表示部２３に表示させる（ステップＳ６、Ｓ２６）。
【００５２】
図９は、ユーザのチェックイン状況が表示された表示画面の一例を示す図である。図９に示すように、表示部２３には、この再生装置１３が再生している放送コンテンツの映像を表示する表示領域８０と、コミュニケーションサービスに関する表示領域９０とが設けられる。図９に示すように、同一の公開範囲に属するユーザがチェックした場合には、コミュニケーションサービスの表示領域９０に、そのユーザがチェックインした旨を通知するメッセージまたはシンボルが表示される。
【００５３】
より詳細には、コミュニケーションサービスの表示領域９０には、チェックインしたユーザのユーザ名９１やアイコン９２、このユーザが入力部２４から入力したコメント９３や、放送局のロゴマーク９４、コメントを入力した時刻を示す情報９５とともに、このユーザがコンテンツにチェックインした旨を通知するメッセージ９６が表示される。同一の公開範囲に属する他のユーザは、この通知によって同一の公開範囲に属するユーザがコンテンツにチェックインしたコンテンツを知ることができ、同じコンテンツを視聴することができる。
【００５４】
尚、図９では表示領域９０にはコミュニケーションサービスに関する情報を表示する例を示しているが、表示領域９０またはその他の表示領域においてコミュニケーションサービス以外の通信コンテンツに関する情報として、番組や放送局等の各種情報を表示するとしてもよい。
【００５５】
次に、再生装置１３の通信コンテンツ処理部２１は、入力部２４を介して再生されているコンテンツに関するコメントや評価等の入力情報を受付けたか否かを判定する（ステップＳ７、Ｓ２７）。入力を受付けない場合（ステップＳ７：Ｎｏ、Ｓ１７：Ｎｏ）にはステップＳ１５、Ｓ３５に移行する。入力を受付けた場合（ステップＳ７：Ｙｅｓ、Ｓ１７：Ｙｅｓ）に通信コンテンツ処理部２１は、入力を行ったユーザのユーザ識別情報と、ユーザが視聴している放送コンテンツのコンテンツ識別情報、入力が行われた時点における放送コンテンツの再生位置情報、入力されたコメントまたは評価等の入力情報をサーバ３０に送信する（ステップＳ８、Ｓ２８）。
【００５６】
サーバ３０の受信部３０１は、再生装置１３から入力情報を受信したか否か判定する（ステップＳ９）。受信しない場合（ステップＳ９：Ｎｏ）には受信待ちを行う（ステップＳ９）。入力情報を受信した場合（ステップＳ９：Ｙｅｓ）には、受信部３０１は、入力情報を送信したユーザのユーザＩＤに対応付けて、入力情報と、入力が行われた時点における放送コンテンツの再生位置情報とをチェックイン管理テーブル７５に格納し、アクションログを更新する（ステップＳ１０）。尚、受信部３０１は、アクションログには、再生位置情報に対応付けて入力情報そのものを格納してもよいし、入力情報に基づいてユーザが行ったアクション（コメント入力、評価入力）を示す情報を格納するとしてもよい。
【００５７】
次に、サーバ３０の制御部は、公開範囲設定テーブル７１を参照して、入力情報を送信したユーザのユーザＩＤに対応する公開範囲を検索する（ステップＳ１１）。図３の例では、発信元のユーザＩＤが０００００００１である場合の公開範囲は、ユーザＩＤが０００００００２のユーザである。従って、サーバ３０の制御部は受信した入力情報等の各種情報を、再生装置１３ｂのユーザＩＤが０００００００２のユーザに対して送信すると判定する。
【００５８】
また、サーバ３０の第２読込部３０３は、再生位置関連情報テーブル７４を参照して、ステップＳ５またはＳ２５で受付けた再生位置情報に対応する再生位置関連情報を検索する（ステップＳ１２）。例えば、図７に示すように２０：３０にコメントの入力を受信した場合には、第２読込部３０３は、図６に示す再生位置関連情報テーブル７４を参照して、２０：３０：００の再生位置情報に対応する再生位置関連情報として「Ａチーム：Ｂチーム＝１：０」なるデータを読み込む。また、サーバ３０の第１読込部３０２は、コンテンツ情報設定テーブル７３を参照して、ステップＳ５またはＳ２５で受付けたコンテンツ識別情報に対応するコンテンツを示す情報を読み込む。
【００５９】
そして、サーバ３０の送信部３０４は、公開範囲内のユーザ（例えば再生装置１３ｂ）と、入力情報送信者（例えば再生装置１３ａ）とに対して、入力情報の発信元のユーザ識別情報の関連情報（例えばユーザ名やニックネーム）と、コンテンツを示す情報（例えば番組名）と、放送コンテンツの再生位置関連情報（例えば試合の進行状況）と、入力情報とを送信する（ステップＳ１３、Ｓ３３）。
【００６０】
再生装置１３の通信コンテンツ処理部２１は、上述の各情報をサーバ３０から受信し、ユーザ識別情報の関連情報と、そのユーザによるコメントまたは評価等の入力情報と、コンテンツ識別情報の関連情報と、再生位置関連情報とを関連付けて表示部２３に表示させる（ステップＳ１４、Ｓ３４）。
【００６１】
図１０は、ユーザのコメントと再生位置関連情報とが対応付けられて表示された表示画面の一例を示す図である。表示部２３には、この再生装置１３が再生している放送コンテンツの映像を表示する表示領域８０と、コミュニケーションサービスに関する表示領域９０とが設けられる。
【００６２】
コミュニケーションサービスの表示領域９０には、各ユーザが入力した入力情報としてコメント９３や評価等が、発言者であるユーザのユーザ名９１やアイコン９２に対応付けて表示される。また、表示領域９０には、コメント９３に対応させて、コメントがなされた放送コンテンツを配信している放送局のロゴマーク９４や、放送局名またはコンテンツ名９７、このコメントが入力された時刻を示す情報９５が示される。さらに、表示領域９０には、このコメント９３が入力された時点におけるこの放送コンテンツの再生位置関連情報９８が表示される。
【００６３】
このように、ユーザの入力情報とともに放送コンテンツの再生位置関連情報９８が表示されるので、ユーザのアクションが放送コンテンツのどのような内容に対するものであるのかを明示することができ、ユーザのアクションについて容易に状況を把握することができる。
【００６４】
再生装置１３の通信コンテンツ処理部２１は、放送コンテンツを視聴しているユーザがその放送コンテンツの視聴を終了して、その放送コンテンツからチェックアウトしたか否かを判定する（ステップＳ１５、Ｓ３５）。チェックアウトしていない場合（ステップＳ１５：Ｎｏ、Ｓ３５：Ｎｏ）には、ステップＳ７、Ｓ２７に戻る。チェックアウトした場合（ステップＳ１５：Ｙｅｓ、Ｓ３５：Ｙｅｓ）に通信コンテンツ処理部２１は、チェックアウトするユーザのユーザ識別情報と、チェックアウトする放送コンテンツのコンテンツ識別情報とをサーバ３０に送信する（ステップＳ１６、Ｓ３６）。
【００６５】
サーバ３０の制御部は、ユーザが放送コンテンツからチェックアウトした場合に、チェックイン管理テーブル７５にチェックアウト時刻と、そのユーザがその放送コンテンツを視聴した視聴時間とを格納し（ステップＳ１７）、処理を終了する。
【００６６】
尚、図６では、再生位置関連情報テーブル７４において再生位置情報の時刻に対して再生位置関連情報を対応付けているが、サーバ３０の第２読込部３０３は、再生位置情報を含む時間帯に対して再生位置関連情報を対応付けて読み込むとしてもよい。また、再生位置関連情報テーブル７４には、再生位置情報として時刻を格納した例を示したが、再生位置情報として時間帯を格納し、この時間帯に再生位置関連情報を対応付けて格納してもよい。
【００６７】
このように、第１の実施形態の再生装置１３は、ユーザによる入力情報と、その入力を受付けた時点におけるコンテンツ内での再生位置を示す再生位置情報をサーバ３０に送信し、サーバ３０から、自装置または他装置による入力情報と、再生位置に対応するコンテンツの内容に関する再生位置関連情報とを受信し、これらを対応付けて表示部２３に表示させる。これにより、コメント等が入力された時点におけるコンテンツ内容を合わせて知ることができ、ユーザの発言やアクション等の入力がコンテンツのどのような内容と関連付けて為されたものであるかを分かり易くすることができる。
【００６８】
尚、上述では、再生装置１３で再生されるコンテンツとして、放送信号に基づく放送コンテンツの例を挙げて説明したが、再生されるコンテンツの種別はこれに限定されるものではない。再生装置１３で再生されるコンテンツのその他の例として、Ｗｅｂサーバから配信されるその他のコンテンツや、再生装置１３に録画されているコンテンツを再生し、このコンテンツについてコンテンツ識別情報、再生位置情報、入力情報等を送信するとしてもよい。即ち、図９、図１０の画面表示例においても、再生されるコンテンツは特に放送信号に基づく放送コンテンツに限定されるものではなく、その他各種コンテンツの表示領域と上述の表示領域９０とを合成して表示するとしてもよい。
【００６９】
（第２の実施形態）
第１の実施形態では、放送信号にコンテンツ取得用コンテンツが含まれる例について説明した。これに対して本実施形態では、コンテンツ取得用コンテンツが放送信号とは別に、インターネット１２を介して再生装置１３に配信される例について説明する。
【００７０】
また、本実施形態では、コンテンツ取得用コンテンツに、通信コンテンツの再生に関する情報（以下、再生制御情報という）が含まれ、この再生制御情報によって通信コンテンツの再生時の動作を制御可能である例について説明する。
【００７１】
図１１は、第２の実施形態に係るコンテンツ再生システム２０１を示すブロック図である。図１１において図１と同一の構成要素には同一符号を付して説明を省略する。コンテンツ再生システム２０１は、再生装置４１ａ、４１ｂを含む。複数の再生装置４１ａ、４１ｂは相互に同一構成であり、これらを相互に区別する必要がない場合には、再生装置４１という。なお、図１１では２台の再生装置４１のみを示したが、２台以上の複数の再生装置４１が用いられるとしてもよい。再生装置４１の具体例としては、異なる家庭に設置された相互に別グループに属するものであるものとする。
【００７２】
各再生装置４１の受信部１５は、放送局のサーバ１１から放送信号を受信する。受信部１５は、ユーザの選局操作に対応したチャンネルを選局し、復調処理して放送コンテンツのストリームを得て、更に復号処理によって、所望の番組の放送コンテンツを得る。受信部１５は、取得した放送コンテンツを放送コンテンツ処理部１７に与える。放送コンテンツ処理部１７は、入力された放送コンテンツに対して適宜の信号処理を施して、番組の映像信号及び音声信号を得て、合成部１８に出力する。
【００７３】
ブラウザ４２は、コンテンツ及び通信処理部４３と、コンテンツバッファ４４と、通信コンテンツ処理部２１とを有している。コンテンツバッファ４４は、サーバ３０から受信した通信コンテンツを一時保持した後、通信コンテンツ処理部２１に出力する。
【００７４】
コンテンツ及び通信処理部４３は、予め設定されたサーバ３０からコンテンツ取得用コンテンツを受信する。また、コンテンツ及び通信処理部４３は、コンテンツ取得用コンテンツに含まれた記述内容を解釈して処理する。コンテンツ及び通信処理部４３における他の機能構成は、図１のコンテンツ及び通信処理部２０と同様である。
【００７５】
尚、上述では、サーバ３０からコンテンツ取得用コンテンツ及び通信コンテンツの双方を受信するとしたが、コンテンツ取得用コンテンツを送信するサーバと通信コンテンツを送信するサーバとは同一であってもよく、異なっていてもよい。
【００７６】
通信コンテンツ処理部２１は、コンテンツバッファ４４を介して、第１の実施形態で上述したような情報通信処理および表示処理を行う。通信コンテンツ処理部２１が行う情報通信処理および表示処理の詳細については、第１の実施形態と同様であるのでここでの説明は省略する。即ち、本実施形態においても、第１の実施形態で上述した効果と同様の効果を得ることができる。
【００７７】
（第３の実施形態）
図１２は、第３の実施形態に係るコンテンツ再生システム３０１を示すブロック図である。図１２において図１１と同様の構成要素には同一符号を付して説明を省略する。本実施形態では、コンテンツ再生システム３０１が、放送局のサーバ１１からの放送信号を受信する受信部１５を有する再生装置５１ａと、放送信号の受信機能を有さない再生装置５１ｂとを含む例について説明する。再生装置５１ｂは、例えばタブレット型の表示端末であり、再生装置５１ａと再生装置５１ｂとは、例えば同一家庭内等の同一グループに属する。
【００７８】
再生装置５１ａは、個別情報記憶部２２からの個別情報を外部に出力可能に構成した点を除き、図１１の再生装置４１ａと同様の構成である。なお、図１２の再生装置５１ａにおいても、図１１の再生装置４１ａと同様にコンテンツバッファ４４を有していてもよい。
【００７９】
一方、再生装置５１ｂは、ブラウザ５２と表示部２３と入力部２４とを備える。ブラウザ５２は、コンテンツ及び通信処理部４３と、通信コンテンツ処理部２１とを備える。コンテンツ及び通信処理部４３は、再生装置５１ａの個別情報記憶部２２が記憶する個別情報を読み込み、再生装置５１ａの個別情報を用いて、コンテンツ取得用コンテンツに基づくアクセスを行う。このように、本実施形態では、同一グループに属するユーザ端末間で同一の個別情報に基づく制御を可能にすることができ、各再生装置５１（５１ａ、５１ｂ）のコンテンツ及び通信処理部４３が、同一の個別情報を用いてアクセス制御することができる。
【００８０】
なお、再生装置５１ｂは、受信部１５、放送コンテンツ処理部１７、合成部１８を備えるとして、再生装置５１ａの個別情報を読み込む以外は再生装置５１ａと同様の動作をするとしてもよい。
【００８１】
再生装置５１ａ、５１ｂにおける通信コンテンツ処理部２１の機能構成については、第１の実施形態と同様であるのでここでの説明を省略する。即ち、本実施形態においても、第１の実施形態で上述した効果と同様の効果を得ることができる。
【００８２】
（第４の実施形態）
図１３は、第４の実施形態に係るコンテンツ再生システム４０１を示すブロック図である。図１３において図１及び図１２と同様の構成要素には同一符号を付して説明を省略する。本実施形態では、再生装置６１ａに内部サーバ６３を設けて、再生装置６１ａ、６１ｂの各ブラウザ６２ａ、６２ｂが、コンテンツ取得用コンテンツ及び通信コンテンツを、再生装置６１ａの内部サーバ６３を経由して取得するようにした点が第３の実施形態との主な相違点である。
【００８３】
再生装置６１ａは、内部サーバ６３を有している。分離部１６は、放送コンテンツを放送コンテンツ処理部１７に与え、コンテンツ取得用コンテンツを内部サーバ６３に与える。内部サーバ６３はコンテンツ取得用コンテンツを記憶する。放送コンテンツ処理部１７は、放送局のサーバ１１からの放送信号に基づく放送コンテンツの画像データを生成して合成部１８に出力する。また、内部サーバ６３は、通信コンテンツ処理部２１を有している。
【００８４】
再生装置６１ａのブラウザ６２ａは、コンテンツ及び通信処理部２０を有している。コンテンツ及び通信処理部２０は、内部サーバ６３から読み出したコンテンツ取得用コンテンツ及び個別情報に従って、インターネット１２上のサーバ３０とアクセスし、通信コンテンツをダウンロードして内部サーバ６３に記憶させる。
【００８５】
また、コンテンツ及び通信処理部２０は、コンテンツ取得用コンテンツに含まれる画像データ等のコンテンツ（以下、放送に属するコンテンツという）を解釈して、放送に属するコンテンツに基づく画像データを合成部１８に出力する。なお、再生装置６１ａのブラウザ６２ａにおいても、第１の実施形態のブラウザ１９と同様に通信コンテンツ処理部２１を備えていてもよい。
【００８６】
一方、再生装置６１ｂは、ブラウザ６２ｂと表示部２３と入力部２４を備える。ブラウザ６２ｂは通信コンテンツ処理部２１を備える。通信コンテンツ処理部２１は、再生装置６１ａの個別情報記憶部２２が記憶する個別情報を読み込み、再生装置６１ａの個別情報を用いて、内部サーバ６３と通信を行い、コンテンツ取得用コンテンツ及び通信コンテンツを取り込む。通信コンテンツ処理部２１は、取り込んだコンテンツ取得用コンテンツに基づいて、通信コンテンツを処理し、表示部２３に各種画像表示を行う。
【００８７】
本実施形態においては、内部サーバ６３を経由して、コンテンツ取得用コンテンツ及び通信コンテンツを取得しており、各端末が独自に通信回線にアクセスする場合よりも、通信量を低減させることができ、サーバの負荷の増大を抑制することができる。
【００８８】
再生装置６１ａ、６１ｂの通信コンテンツ処理部２１が行う情報通信処理および表示処理の詳細については、第１の実施形態と同様であるのでここでの説明は省略する。即ち、本実施形態においても、第１の実施形態で上述した効果と同様の効果を得ることができる。
【００８９】
以上説明したとおり、第１から第４の実施形態にかかるコンテンツ再生装置は、ユーザによる入力情報と、その入力を受付けた時点におけるコンテンツ内での再生位置を示す再生位置情報をサーバに送信し、サーバから、自装置または他装置による入力情報と、再生位置情報に対応するコンテンツの内容に関する再生位置関連情報とを受信し、これらを対応付けて表示装置に表示させる。これにより、コメントや評価等が入力された時点におけるコンテンツ内容を合わせて知ることができ、ユーザの発言やアクション等の入力がコンテンツのどのような内容と関連付けて為されたものであるかを分かり易くすることができる。
【００９０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００９１】
１０１、２０１、３０１、４０１…コンテンツ再生システム、１１…放送局のサーバ、１２…インターネット、１３、１３ａ、１３ｂ、４１、４１ａ、４１ｂ、５１、５１ａ、５１ｂ、６１ａ、６１ｂ…再生装置、１５…受信部、１６…分離部、１７…放送コンテンツ処理部、１８…合成部、１９、４２、５２、６２ａ、６２ｂ…ブラウザ、２０、４３…コンテンツ及び通信処理部、２１…通信コンテンツ処理部、２２…個別情報記憶部、２３…表示部、２４…入力部、３０…サーバ、４４…コンテンツバッファ、６３…内部サーバ、７１…公開範囲設定テーブル、７２…ユーザ情報設定テーブル、７３…コンテンツ情報設定テーブル、７４…再生位置関連情報テーブル、７５…チェックイン管理テーブル、８０…表示領域、９０…表示領域、９１…ユーザ名、９２…アイコン、９３…コメント、９４…ロゴマーク、９５…情報、９６…メッセージ、９７…コンテンツ名、９８…再生位置関連情報。
【図１】
2013085146.tif 000003
【図２】
2013085146.tif 000004
【図３】
2013085146.tif 000005
【図４】
2013085146.tif 000006
【図５】
2013085146.tif 000007
【図６】
2013085146.tif 000008
【図７】
2013085146.tif 000009
【図８】
2013085146.tif 000010
【図９】
2013085146.tif 000011
【図１０】
2013085146.tif 000012
【図１１】
2013085146.tif 000013
【図１２】
2013085146.tif 000014
【図１３】
2013085146.tif 000015